(57)【要約】【課題】照明用発光部の回転２軸機構を備えた撮像装置において、照明用発光部と制御基板を接続するフレキシブル配線部材の余長部を所期の位置に収納すること。【解決手段】ストロボ発光部１５のポップアップ機構は、ベースバネ２２から付勢力を受けて第１の軸回りに回動するアーム部材１９と、ホルダバネ２０の付勢力を受けて第２の軸回りに回動するストロボホルダ１７を備える。ストロボ発光部１５は、フレキシブル基板２６を用いてストロボ制御基板２５に接続される。フレキシブル基板２６は、アーム部材１９の回動とストロボホルダ１７の回動に必要な余長部を有する。フレキシブル基板２６は、第１の軸部材の下側を通過し、さらにアーム部材１９に沿って第２の軸部材の周囲を通過して配置される。装置本体部の壁部１６ｄに配置される弾性部材３５は、フレキシブル基板２６に当接することで、その余長部を収納する側へ付勢する。【選択図】図７
2016109706.tif 000002
【特許請求の範囲】
【請求項１】
照明用の発光部を、装置本体部に収納した収納位置から、装置本体部の外に突出した発光可能位置へと移動させる機構を備える撮像装置であって、
第１の付勢部材の付勢力を受けて、前記装置本体部に固定された第１の軸部材の回りに回動するアーム部材と、
前記発光部を保持するとともに、第２の付勢部材の付勢力を受けて、前記アーム部材の端部に固定された第２の軸部材の回りに回動するホルダ部材と、
前記装置本体部に配置されて、前記発光部の発光制御を行う制御基板と、
前記発光部と前記制御基板を接続するフレキシブル配線部材と、
前記装置本体部に配置された弾性部材と、を備え、
前記フレキシブル配線部材は、前記アーム部材の回動および前記ホルダ部材の回動に伴う長さの変化を担う余長部を有しており、前記弾性部材は、前記フレキシブル配線部材に当接することで前記余長部を収納する側へ付勢することを特徴とする撮像装置。
【請求項２】
前記装置本体部は、前記発光部の収納位置にて前記アーム部材およびホルダ部材を収納する収納部を形成するベース部材と、前記フレキシブル配線部材の余長部を収納する余長収納部を備え、
前記発光部の収納位置にて前記フレキシブル配線部材は、前記余長収納部を通過し、前記第１の軸部材と前記ベース部材との間を通過し、前記アーム部材に沿って前記第２の軸部材の周囲を通過してから前記発光部に接続される経路に配置されることを特徴とする請求項１に記載の撮像装置。
【請求項３】
前記弾性部材は、前記ベース部材にて前記収納部を形成する壁部に、前記余長収納部の側を向いて配置されることを特徴とする請求項２に記載の撮像装置。
【請求項４】
前記ベース部材の壁部は、前記第１の軸部材の軸方向から見た場合に、前記第１の軸部材よりも前記余長収納部の側に突出しない位置に形成されたリブを有することを特徴とする請求項３に記載の撮像装置。
【請求項５】
前記フレキシブル配線部材はリード線を介して前記制御基板に接続され、前記弾性部材は前記リード線に当接することを特徴とする請求項１から４のいずれか１項に記載の撮像装置。
【発明の詳細な説明】
【技術分野】
【０００１】
本発明は、ポップアップ可能な内蔵ストロボを搭載した撮像装置に関する。
【背景技術】
【０００２】
デジタルカメラ等の撮像装置では、内蔵ストロボの発光部よりも撮影レンズの先端が、撮像装置本体部から被写体側に突出しているものがある。発光部から被写体に向かう照射光が撮影レンズの先端によって遮られることを回避する機構として、発光部のポップアップ機構がある。ポップアップ機構は、発光部を、撮像装置本体部に収納された収納位置から突出した位置に移動させて、発光部による光の照射範囲内に撮影レンズが入らないようにする。
【０００３】
ポップアップ機構として、垂直持ち上げ機構、回転１軸機構、回転２軸機構がある。垂直持ち上げ機構は、発光部を撮像装置本体部に対して垂直方向に移動させる機構である。回転１軸機構は、撮像装置本体部に固定された軸を中心に回転するアーム部材の先端に発光部を取り付け、発光部を上方に移動させる機構である。回転２軸機構は、回転１軸機構のアーム部材の先端に更に回転軸を設け、その軸を中心として回転するホルダ部材に発光部を取り付け、発光部を上方に移動させる機構である。
【０００４】
回転２軸機構を備える装置では、発光部の発光制御を行うために、発光部と、撮像装置本体部側に設置された制御基板とが、フレキシブル基板等により電気的に接続される。ポップアップ機構により、発光部と制御基板との距離が変化するので、フレキシブル基板等には距離変化を担う余長が設定される。しかし、発光部が収納位置にある状態では、発光部と制御基板の距離が短くなるため、フレキシブル基板等の余長部が予期せぬ箇所に撓みとして発生し得る。この場合、フレキシブル基板等の挟みこみが発生する可能性がある。この問題に対し、特許文献１に開示された装置では、開閉蓋の開閉動作に必要な余長部を有するフレキシブル基板の屈曲弾性変形部分の移動を許容するスペースを、開閉蓋に設けている。
【先行技術文献】
【特許文献】
【０００５】
【特許文献１】特開平８−１６６６２３号公報
【発明の概要】
【発明が解決しようとする課題】
【０００６】
しかしながら、上述の撮像装置では、２つの回転動作を行う回転２軸機構において、フレキシブル基板の余長部が、所期の位置とは異なる位置へ収納されてしまった場合、撮像装置の筺体内で、フレキシブル基板の挟みこみが発生する可能性がある。
本発明の目的は、照明用発光部の回転２軸機構を備えた撮像装置において、照明用発光部と制御基板を接続するフレキシブル配線部材の余長部を所期の位置に収納することである。
【課題を解決するための手段】
【０００７】
本発明に係る装置は、照明用の発光部を、装置本体部に収納した収納位置から、装置本体部の外に突出した発光可能位置へと移動させる機構を備える撮像装置であって、第１の付勢部材の付勢力を受けて、前記装置本体部に固定された第１の軸部材の回りに回動するアーム部材と、前記発光部を保持するとともに、第２の付勢部材の付勢力を受けて、前記アーム部材の端部に固定された第２の軸部材の回りに回動するホルダ部材と、前記装置本体部に配置されて、前記発光部の発光制御を行う制御基板と、前記発光部と前記制御基板を接続するフレキシブル配線部材と、前記装置本体部に配置された弾性部材と、を備える。前記フレキシブル配線部材は、前記アーム部材の回動および前記ホルダ部材の回動に伴う長さの変化を担う余長部を有しており、前記弾性部材は、前記フレキシブル配線部材に当接することで前記余長部を収納する側へ付勢する。
【発明の効果】
【０００８】
本発明によれば、照明用発光部と制御基板を接続するフレキシブル配線部材の余長部を所期の位置に収納することができる。
【図面の簡単な説明】
【０００９】
【図１】本発明の実施形態に係るデジタルカメラの外観を例示する斜視図である。
【図２】本発明の実施形態に係るストロボユニットの斜視図（Ａ）および分解斜視図（Ｂ）である。
【図３】本発明の実施形態に係るストロボユニットの断面図である。
【図４】本発明の実施形態に係るストロボユニットの収納保持の説明図である。
【図５】本発明の実施形態に係るストロボ発光部の説明図である。
【図６】本発明の実施形態に係るポップアップ検出の説明図である。
【図７】本発明の実施形態に係るトリガーフレキシブル基板の引き廻しの説明図である。
【図８】比較例に係るトリガーフレキシブル基板の引き廻しの説明図である。
【発明を実施するための形態】
【００１０】
本発明の実施形態を、添付の図面に基づいて詳細に説明する。本実施形態では、照明用のストロボ発光部のポップアップ機構を備えた撮像装置を例示して説明する。尚、以下に説明する実施形態は、本発明の実現手段としての一例であり、本発明は、その趣旨を逸脱しない範囲で下記実施形態を修正又は変形したものに適用可能である。
【００１１】
図１は、本実施形態の撮像装置であるデジタルカメラ１の外観図である。図１（Ａ）と図１（Ｃ）は、撮像装置の装置本体部（カメラ本体部）を前面側（被写体側）から見た場合の斜視図である。図１（Ｂ）は、装置本体部を背面側から見た場合の斜視図である。図１（Ａ）および（Ｂ）はストロボ発光部が装置本体部内に収納された収納位置にある状態を示す。図１（Ｃ）はストロボ発光部が装置本体部から突出した発光可能位置にある状態を示す。
【００１２】
デジタルカメラ１はレンズ交換式の構成であり、筐体の前面にバヨネット式のレンズマウント２を有する。交換式のレンズ装置（不図示）は、ユーザが当該レンズ装置およびレンズマウント２に印刷された指標同士を合わせながら、レンズマウント２に対して嵌め込んで回転させることで装着される。また、ユーザはレンズマウント２に隣接するレンズ解除ボタン３を押しながら、レンズ装置を装着時とは逆方向に回転させることで、レンズ装置を取り外すことができる。
【００１３】
デジタルカメラ１の筺体内部には撮像素子４が実装されており、レンズ装置によって結像される光学像を光電変換して撮像信号を出力する。撮像素子４は、例えばＣＣＤ（電荷結合素子）型またはＣＭＯＳ（相補型金属酸化膜半導体）型のイメ−ジセンサである。撮像素子４が出力した撮像信号は、デジタルカメラ１に実装された信号処理基板（不図示）の処理回路によりデジタル情報に変換される。信号処理基板には、カードＩ／Ｆ（インタフェース）等を含む記録媒体スロットや、撮像処理部、画像処理部、システム制御部、シリアルＩ／Ｆ部等が実装されている。
【００１４】
デジタルカメラ１の上面には、撮像準備および撮像操作の指示を行うレリーズボタン５が設けられている。レリーズボタン５は２段階の押圧操作が可能である。ユーザがレリーズボタン５を半押し操作すると、撮像準備動作（測光動作や測距動作等）が開始する。ユーザがレリーズボタン５を全押し操作すると、撮影および記録処理が行われる。撮影された被写体像の画像デ−タは、装置本体部の収納部に挿着された記録媒体に記録される。
【００１５】
レリーズボタン５の外周部には電子ダイヤル６が配置されている。ユーザは、レリーズボタン５を中心にして、電子ダイヤル６を回動させることで各種撮影条件の変更操作を行える。レリーズボタン５の横には電源ボタン７が配置され、ユーザがデジタルカメラ１の電源のオン操作とオフ操作を行う際に使用する。電源ボタン７の外周部にはモードレバー８が設けられている。ユーザは、電源ボタン７を中心にして、モードレバー８を回動させることで各種撮影モードの切り替え操作を行える。モードレバー８に近接して、各種の撮影モードに応じた指標(不図示)が印刷されている。ユーザは、モードレバー８を指標の位置に合わせることで、指標に応じた撮影モードの設定を行える。
【００１６】
デジタルカメラ１の筺体背面には液晶表示部９が設けられている。液晶表示部９は、撮影前のスルー画像や、撮影画像、各種の撮影条件等の情報を画面に表示する。液晶表示部９にはタッチセンサが内蔵され、ユーザが撮像パラメータの変更や、液晶表示部９の表示形式の変更といった機能を選択する際に利用する。また液晶表示部９は、デジタルカメラ１の筺体上部に設けられた回転軸を中心として、１８０°の範囲で回動可能である。これにより、筺体上面側と筺体前面側からの液晶表示部９の視認性が向上する。デジタルカメラ１の筺体背面に設けられた操作ボタン群１０は、ユーザが撮影条件の変更や、液晶表示部９の表示形式の変更といった機能を選択する際に使用する。デジタルカメラ１の筺体底面に配置された電池蓋１１は、電池の収納室を覆う開閉可能な蓋部材である。ユーザが電池蓋１１を開くことで収納室が開口し、電池の挿脱が可能になる。
【００１７】
デジタルカメラ１の側面には、コネクタカバー１２が配置されている。コネクタカバー１２は、各種外部デバイスと接続するためにプリント基板上に実装された端子類を保護する。本実施形態では、外部映像デバイスに接続するためのアナログビデオ端子、外部直流電源に接続するための電源端子、情報処理装置に接続するためのデジタル端子のうち少なくとも１つを備えるものとする。例えば、外部映像デバイスはテレビジョン受像機であり、情報処理装置はＰＣ（パーソナルコンピュータ）である。
【００１８】
コネクタカバー１２の下部には、記録媒体蓋１３が配置されている。記録媒体蓋１３は、記録媒体の収納室を覆う開閉可能な蓋部材である。ユーザが記録媒体蓋１３を開くことで収納室が開口し、記録媒体の挿脱が可能になる。コネクタカバー１２の上部には、ポップアップレバー１４が配置されている。ユーザがポップアップレバー１４をデジタルカメラ１の筺体の前面方向にスライドさせると、図１（Ｃ）のようにストロボ発光部１５が上方に突出する。つまり、後述するポップアップ機構により、ストロボ発光部１５のポップアップ動作が行われて外部に露出する。この状態で、ユーザがストロボ発光部１５を押し下げることで、デジタルカメラ１の筺体内にストロボ発光部１５が収納される。
【００１９】
次に、図２および図３を参照して、ストロボ発光部１５のポップアップ機構について説明する。図２（Ａ）は、ストロボ発光部１５およびポップアップ機構を含むストロボユニットの斜視図である。図２（Ｂ）は、ストロボユニットの分解斜視図である。図３は、ストロボ発光部１５がポップアップした状態のストロボユニットを示す断面図である。本実施形態のポップアップ機構である回転２軸機構は、第１の付勢部材の付勢力を受けて第１の軸回りに回動するアーム部材と、第２の付勢部材の付勢力を受けて第２の軸回りに回動する、ストロボ発光部１５のホルダ部材を備える。ストロボユニットは、そのベース部材１６がデジタルカメラ１の筺体の内部で位置決めされ、ビスにより締結固定される。ベース部材１６は、ストロボ発光部１５を収納位置に収納するための収納部を形成する壁部を有する。
【００２０】
ストロボ発光部１５は、２本のビスにて一体に固定されるストロボホルダ１７とストロボカバー１８との間で挟持され、３つの部材が一体で移動する。ストロボホルダ１７には軸受部１７ａが形成されている。軸受部１７ａには、アーム部材１９の一端部１９ａとホルダバネ２０が、ホルダシャフト２１を挿通させることで取り付けられる。第２の付勢部材であるホルダバネ２０の各端部は、ストロボホルダ１７とアーム部材１９に各々当接し、両者の間には、ホルダバネ２０の付勢力が、図３の矢印Ａ方向に働く。ホルダバネ２０の付勢力により、ストロボホルダ１７は、ストッパー部１７ｂがアーム部材１９に当接するまで、第２の軸部材であるホルダシャフト２１を中心にして、アーム部材１９に対して回動する。
【００２１】
ベース部材１６には、ベース軸受部１６ａが形成されている。ベース軸受部１６ａには、アーム部材１９の他端部１９ｂとベースバネ２２が、ベースシャフト２３を挿通させることで取り付けられる。第１の付勢部材であるベースバネ２２の各端部は、ベース部材１６とアーム部材１９に各々当接し、両者の間には、ベースバネ２２の付勢力が、図３の矢印Ｂ方向に働く。ベースバネ２２の付勢力により、アーム部材１９は、ベース部材１６に形成されたストッパー部１６ｂに当接するまで、第１の軸部材であるベースシャフト２３を中心にして、ベース部材１６に対して回動する。
【００２２】
ポップアップ機構を構成する上記２つの機構部の回動を組み合わせることで、ストロボホルダ１７は、ベース部材１６に対してポップアップ動作する。なお、ポップアップ時にストロボ発光部１５が被写体側を向くように、２つの機構部の回動角度が調整されている。
【００２３】
続いて、図４を参照して、ストロボホルダ１７をデジタルカメラ１の筺体内に収納および保持する方法を説明する。図４（Ａ）は、デジタルカメラ１のストロボユニットを背面側から見た場合の斜視図である。図４（Ｂ）、図４（Ｃ）、図４（Ｄ）は、ストロボユニットの断面図であり、それぞれ異なる状態を示す。
【００２４】
ポップアップレバー１４は、図２（Ｂ）に示すように、デジタルカメラ１の側面方向からベース部材１６に組み込まれ、その後で組まれる別部材により抜け止めされている。ポップアップレバー１４は、レバーバネ２４により、デジタルカメラ１の背面方向に付勢されている。図４（Ａ）に示すように、ポップアップレバー１４に形成されたフック部１４ａは、デジタルカメラ１の筺体に形成されたストロボホルダ１７の収納部にて露出するように配置される。
【００２５】
ユーザはストロボ収納の際に、ストロボホルダ１７を、ホルダバネ２０とベースバネ２２の各付勢力に反する方向へ押し下げる操作を行う。図４（Ｂ）に示すように、ストロボホルダ１７に形成されたフック部１７ｃの斜面部が、フック部１４ａの斜面部に当接する。ユーザが更にストロボホルダ１７を押し下げると、図４（Ｃ）に示すように、フック部１７ｃが、ポップアップレバー１４をデジタルカメラ１の前面方向に移動させる。そして、フック部１７ｃが、フック部１４ａの先端部を乗り越えたところで、図４（Ｄ）に示すように、ポップアップレバー１４が、レバーバネ２４の付勢力により元の位置に戻る。フック部１７ｃとフック部１４ａが互いに係止することで、ストロボホルダ１７が収納位置に保持される。
【００２６】
一方、ユーザがポップアップレバー１４をデジタルカメラ１の前面方向に操作すると、フック部１７ｃがフック部１４ａから外れる。両フック部の係止が解除された状態にて、ホルダバネ２０とベースバネ２２の各付勢力により、ストロボホルダ１７が再びポップアップ動作する。
【００２７】
次に、図５を参照して、ストロボ発光部１５と、デジタルカメラ１の筺体内に設置されたストロボ制御基板２５との電気的接続について説明する。図５（Ａ）は、ストロボ発光部１５の分解斜視図である。図５（Ｂ）は、ストロボ発光部１５とストロボ制御基板２５との接続関係を説明する斜視図であり、説明の便宜のため、他の部材は省略している。図５（Ａ）に示すように、ストロボ発光部１５は、プロテクタ１５１、キセノン管１５２、反射傘１５３、ホルダ１５４、トリガーコイル１５５、２つの端子板１５６、１５７を備える。
【００２８】
キセノン管１５２と反射傘１５３は光源部を構成する部材であり、互いに当接した状態でホルダ１５４に組み込まれる。キセノン管１５２の端子が、ホルダ１５４に対して圧入される端子板１５６，１５７と半田付けされることで、ホルダ１５４に固定される。この時、反射傘１５３は、ホルダ１５４にインサート成形されたトリガーコイル１５５の出力端子に当接している。最後に、プロテクタ１５１をホルダ１５４に対して組み込むことでストロボ発光部１５が完成する。
【００２９】
ストロボ発光部１５の４つの端子は、フレキシブル配線部材とリード線群を介してストロボ制御基板２５に対して電気的に接続される。４つの端子とは、端子板１５６，１５７と、ホルダ１５４から露出したトリガーコイル１５５の入力端子と、ＧＮＤ端子であり、図５（Ｂ）に示すように、トリガーフレキシブル基板２６の一端部に半田付けされる。トリガーフレキシブル基板２６の他端部には、発光部側のリード線群２７が半田付けされ、ストロボ制御基板２５に接続される。さらに、ストロボ制御基板２５は、コンデンサ側のリード線群２８により、メインコンデンサ２９と接続される。ストロボ制御基板２５からの発光開始信号により、トリガーコイル１５５の出力端子から反射傘１５３にトリガー電圧が印加されると、メインコンデンサ２９に充電された電荷がキセノン管１５２に流れ出し、キセノン管１５２が発光する。
【００３０】
図６を参照して、ストロボホルダ１７の位置検知方法について説明する。ストロボ発光部１５が、デジタルカメラ１の筺体内で発光してしまうと、発光の際に生じる熱により、プロテクタ１５１等を溶かす可能性がある。そのため、ストロボホルダ１７の位置検知を行い、ストロボ発光部１５の全体がデジタルカメラ１の筺体から露出している場合のみ、ストロボ制御基板２５により発光制御を行う必要がある。図６（Ａ）はストロボ発光部１５を前面側から見た場合の斜視図であり、説明の便宜のため、ストロボカバー１８を省略して示す。図６（Ｂ）はストロボユニットを図６（Ａ）とは異なる方向から見た場合の斜視図である。
【００３１】
図６（Ａ）に示すように、ストロボホルダ１７には側面方向から磁石３０が挿入され、接着剤により固定されている。また、図６（Ｂ）に示すように、ベース部材１６には、磁気センサ３２が固定され、磁石３０からの磁束密度を検出する。磁気センサ３２は、不図示の信号処理基板と接続されるセンサフレキシブル基板３１に実装されている。ストロボホルダ１７がポップアップ状態である場合には、磁石３０と磁気センサ３２との距離が、収納状態の場合と比較して大きくなるため、磁気センサ３２の検出する磁束密度が小さくなる。磁気センサ３２から信号処理基板への出力が行われ、磁束密度の検出値が磁気センサ３２に予め設定された閾値と比較される。検出値が閾値を下回ると、ＯＮ信号からＯＦＦ信号に変わる。つまり、ストロボホルダ１７がポップアップ状態で発光可能位置に近づいた時に、磁気センサ３２の出力が変化するように、磁石３０の表面磁束密度および磁気センサ３２の閾値が調整されている。これにより、ストロボホルダ１７がポップアップしているか否かを検知できる。
【００３２】
次に、図７を参照して、ポップアップ機構の回動に伴うトリガーフレキシブル基板２６の引き廻しの変化について説明する。図７は、ホルダシャフト２１およびベースシャフト２３の軸方向から見た場合のストロボユニットの各状態を示す断面図である。図７（Ａ）は、ストロボホルダ１７の収納位置におけるストロボユニットを示す断面図である。ストロボ発光部１５の収納位置にてアーム部材１９とストロボホルダ１７は、ベース部材１６により形成される、装置本体部の収納部３６内に位置する。図７（Ｂ）は、ストロボホルダ１７のポップアップ位置におけるストロボユニットを示す断面図である。
【００３３】
トリガーフレキシブル基板２６は、固定端２６ａがベース部材１６に対してビスで締結固定されている。トリガーフレキシブル基板２６の引き廻しについては、ベースシャフト２３の下側を通過して、アーム部材１９とアームカバー３３との間を通り、ホルダシャフト２１の近傍を通過してからストロボ発光部１５まで接続される。図７（Ａ）に示すストロボホルダ１７の収納時には、アーム部材１９が、回転軸であるベースシャフト２３よりも下側に配置されている。このため、固定端２６ａからアーム部材１９までのトリガーフレキシブル基板２６の経路に沿う第１の長さが、図７（Ｂ）に示すポップアップ時での長さと比較すると短い。一方、アーム部材１９からストロボ発光部１５までのトリガーフレキシブル基板２６の経路に沿う第２の長さについては、ホルダシャフト２１の周囲に巻きつくように半周している部分があるため、ポップアップ時に比較すると長い。よって、ストロボホルダ１７の収納位置からポップアップ位置までの間で、トリガーフレキシブル基板２６に必要な第１の長さと第２の長さが各々変化する。
【００３４】
さらに、図７（Ｃ）に示す状態のように、ポップアップ位置からホルダシャフト２１を中心にして、ストロボホルダ１７を回転させた場合を想定する。この場合、トリガーフレキシブル基板２６がホルダシャフト２１の周囲に巻きつく部分があるので、トリガーフレキシブル基板２６の長さが最も必要となる。そのため、ストロボホルダ１７の収納位置とポップアップ位置とで、トリガーフレキシブル基板２６にて長さの変化を担う余長部を持たせている。その理由は、図７（Ｃ）に示す状態でトリガーフレキシブル基板２６の長さが不足することによる切断などの発生を防止するためである。また、デジタルカメラ１の筺体内には余長収納部３４が設けられているので、トリガーフレキシブル基板２６の余長部が収納可能である。
【００３５】
図７（Ｄ）は、ストロボホルダ１７を図７（Ｃ）の状態から収納位置へ移動させている途中状態でのストロボユニットを示す断面図である。弾性部材３５は、ベース部材１６にて収納部３６を形成する壁部１６ｄに、余長収納部３４の側を向いて配置される。つまり、弾性部材３５は、ベース部材１６に両面テープで固定され、常にトリガーフレキシブル基板２６に当接しており、図７（Ｄ）の矢印Ｃ方向に付勢力を加える。よって、図７（Ｃ）の状態でストロボ発光部１５側に引っ張られたトリガーフレキシブル基板２６の余長部が、図７（Ｄ）の状態になるまでに、弾性部材３５の付勢力により余長収納部３４側に引き戻される。図８（Ａ）は、弾性部材３５が無い場合を比較例として示す断面図である。この場合には、トリガーフレキシブル基板２６の一部が、ホルダシャフト２１の付近で膨らんだ形状部分として形成されてしまう。そのため、ストロボホルダ１７を図８（Ａ）に示す位置から収納位置まで移動させる際に、トリガーフレキシブル基板２６の一部がストロボカバー１８とデジタルカメラ１の筺体との間に挟まれてしまう可能性がある。本実施形態では弾性部材３５（図２（Ｂ）、図６参照）を配置することにより、そのような事態の発生を回避できる。弾性部材３５はさらに、発光部側のリード線群２７とも当接している。デジタルカメラ１に加わる振動により、発光部側のリード線群２７が動かないようにすることで、リード線群２７の断線を防止できる。
【００３６】
また、図７に示すようにベース部材１６の壁部１６ｄには、固定端２６ａを隠すためのリブ１６ｃが形成されている。リブ１６ｃは、ベースシャフト２３よりも余長収納部３４側に突出しないように設定されている。図８（Ｂ）は、リブ１６ｃがベースシャフト２３よりも余長収納部３４側に突出している場合を比較例として示す断面図である。この場合、トリガーフレキシブル基板２６とベースバネ２２との接触面積が増える。よって、トリガーフレキシブル基板２６に作用する摩擦力が大きくなるため、トリガーフレキシブル基板２６の余長部が余長収納部３４に戻ろうとする動きを阻害してしまう。
【００３７】
以上説明したように本実施形態では、弾性部材３５により、発光部に接続されるトリガーフレキシブル基板２６に対して常に付勢力を加えることで、トリガーフレキシブル基板２６の余長部を余長収納部３４に収納できる。
【符号の説明】
【００３８】
１４：ポップアップレバー
１５：ストロボ発光部
１６：ベース部材
１７：ストロボホルダ
１９：アーム部材
２０：ホルダバネ
２２：ベースバネ
２５：ストロボ制御基板
２６：トリガーフレキシブル基板
２７：リード線群
３４：余長収納部
３５：弾性部材
【図１】
2016109706.tif 000003
【図２】
2016109706.tif 000004
【図３】
2016109706.tif 000005
【図４】
2016109706.tif 000006
【図５】
2016109706.tif 000007
【図６】
2016109706.tif 000008
【図７】
2016109706.tif 000009
【図８】
2016109706.tif 000010